(57)【要約】【課題】  簡易な構成で複雑なセンシング機能を持たなくとも確実に捕獲対象者を捕獲でき、かつ法規的に制約を受けず、また近距離や狭所でも有効かつ安全に作用する携行型拘束網展開器および携行型拘束網展開装置を提供することにある。【解決手段】  複数個の錘を取り付けた拘束網と、前記錘を噴出する噴出口を形成するとともに前記錘を収容する錘収容部と前記拘束網を収容する拘束網収容部と前記錘を噴出する噴出手段とを有する容器と、前記容器の前記錘収容部と前記拘束網とに収容された前記錘および前記拘束網を覆い、前記錘および前記拘束網の噴出時に該容器から分離する蓋とを備えたことを特徴とする。【選択図】    図１
2006118845.tif 000002
【特許請求の範囲】
【請求項１】
複数個の錘を取り付けた拘束網と、
前記錘を噴出する噴出口を形成するとともに前記錘を収容する錘収容部と前記拘束網を収容する拘束網収容部と前記錘を噴出する噴出手段とを有する容器と、
前記容器の前記錘収容部と前記拘束網とに収容された前記錘および前記拘束網を覆い、前記錘および前記拘束網の噴出時に該容器から分離する蓋と
を備えたことを特徴とする携行型拘束網展開器。
【請求項２】
請求項１記載の携行型拘束網展開器と、
前記容器に着脱自在に取り付けられる操作部と
を備えたことを特徴とする携行型拘束網展開装置。
【請求項３】
拘束網と、
前記拘束網の周縁上に所定間隔をもって配設された複数個の錘と、
前記錘を所定角度をもって噴出する噴出口を形成するとともに前記錘を収容する錘収容部と前記拘束網を収容する拘束網収容部と電気信号により前記錘を噴出する噴出手段とを有する容器と、
前記容器の前記錘収容部と前記拘束網とに収容された前記錘および前記拘束網を覆い、前記錘および前記拘束網の噴出時に該容器から分離する蓋と、
前記噴出手段にカプラを介して接続する噴出回路を有し、前記容器に着脱自在に取り付けられる操作部と
を備えたことを特徴とする携行型拘束網展開装置。
【請求項４】
請求項３記載の携行型拘束網展開装置において、
前記容器は、前記噴出部から開口部に亘って凹部を設けるとともに該開口部側に蓋係止部を設け、
前記蓋は、前記開口部を覆う覆い部と、前記凹部に装着されるるとともに前記蓋係止部に係止される穴を有する舌部とを設けている
ことを特徴とする携行型拘束網展開装置。
【発明の詳細な説明】
【技術分野】
【０００１】
本発明は、拘束網を瞬時に展開させて、例えば人為的に他人に危害を及ぼそうとしている犯罪嫌疑者の犯罪行為を未然に防止するため、あるいは逃亡時の逃亡時間を遅らせ、犯罪嫌疑者を拘束・捕獲するための携行型拘束網展開器および携行型拘束網展開装置に関する。
【背景技術】
【０００２】
特許文献１には、銃弾的に発射される拘束網システムとして、銃弾による網の展開システムが開示されている。特許文献１では、銃の衝撃力によって弾丸カートリッジについた雷管がたたかれ、放出弾薬および遅延ヒューズが点火され、放出弾薬の爆発によって、錘と拘束網がハウジングから放出され、約２０〜３０ｍｓ後に遅延ヒューズが広げ用弾薬を点火する。これにより、短い延長ライン付錘が広げられ、次に長い延長ライン付錘が拘束網の前方へと加速され、網が完全に展開することができる。
【０００３】
また、特許文献２には、高圧ガスを駆動源とした携行型拘束網展開装置が開示されている。特許文献２では、高圧ガスボンベを装置内に有し、起動スイッチを押すことにより、高圧ガスボンベの封板にピンを刺し、高圧ガスを一気に放出し、このガス圧で網と錘の両方を押し出し、網を展開させることができる。
また、特許文献３には、網を展開させるための錘を飛ばした後に粘着性液体を噴出させる機構を構築した携行型拘束網展開装置が開示されている。特許文献３では、錘は薬莢内にその錘を飛ばすためのガス圧力を受け、錘を押し出すためのピストンと一緒に収容されている。
【特許文献１】特表２０００−５１３０８９号公報
【特許文献２】米国特許第５３２６１０１号明細書
【特許文献３】独国公開特許第４４３７４１２号公報
【発明の開示】
【発明が解決しようとする課題】
【０００４】
特許文献１による携行型拘束網展開装置では、火薬類を用いており、法規上取扱の制約を受けるほか、弾丸を射撃する行為から銃刀法の適用を受けるため、到底一般向けではなく、ごく限られた人にしか携行できない。また、特許文献１では、遠距離での拘束を目的としているため、近距離若しくは狭い場所での使用ができない。
また、特許文献２による携行型拘束網展開装置では、特許文献１による携行型拘束網展開装置と同様に、錘と網の両方が高圧ガスにより押し出され、噴出の初期段階では網がほとんど展開せず、携行型拘束網展開装置から距離を隔ててから網が徐々に展開するため、遠距離には対応できるが、近距離では錘が捕獲対象者に直撃し、安全に使用できない。また、この携行型拘束網展開装置は、金属容器（ボンベ）にガスが充填されているため、この携行型拘束網展開装置内には既に網と錘を押し出すためのエネルギが存在しており、不慮の場合、破裂等の危険が常に潜んでいる。また、高圧ガスでは、ガス流路が長くなり、それによる作動のタイムラグやリークが懸念される。
【０００５】
また、特許文献３による携行型拘束網展開装置では、網を展開させる以外の液体噴射機能を持たせているために、網を展開させるための錘の噴出方法および構成が複雑である。また、薬莢内でのピストンおよび錘の摺動によるエネルギロスが発生してしまう。
本発明は斯かる従来の問題点を解決するために為されたもので、その目的は、簡易な構成で複雑なセンシング機能を持たなくとも確実に捕獲対象者を捕獲でき、かつ法規的に制約を受けず、また近距離や狭所でも有効かつ安全に作用する携行型拘束網展開器および携行型拘束網展開装置を提供することにある。
【課題を解決するための手段】
【０００６】
請求項１に係る発明は、複数個の錘を取り付けた拘束網と、前記錘を噴出する噴出口を形成するとともに前記錘を収容する錘収容部と前記拘束網を収容する拘束網収容部と前記錘を噴出する噴出手段とを有する容器と、前記容器の前記錘収容部と前記拘束網とに収容された前記錘および前記拘束網を覆い、前記錘および前記拘束網の噴出時に該容器から分離する蓋とを備えたことを特徴とする。
【０００７】
請求項２に係る発明は、請求項１記載の携行型拘束網展開器と、前記容器に着脱自在に取り付けられる操作部とを備えたことを特徴とする。
請求項３に係る発明は、拘束網と、前記拘束網の周縁上に所定間隔をもって配設された複数個の錘と、前記錘を所定角度をもって噴出する噴出口を形成するとともに前記錘を収容する錘収容部と前記拘束網を収容する拘束網収容部と電気信号により前記錘を噴出する噴出手段とを有する容器と、前記容器の前記錘収容部と前記拘束網とに収容された前記錘および前記拘束網を覆い、前記錘および前記拘束網の噴出時に該容器から分離する蓋と、前記噴出手段にカプラを介して接続する噴出回路を有し、前記容器に着脱自在に取り付けられる操作部とを備えたことを特徴とする。
【０００８】
請求項４に係る発明は、請求項３記載の携行型拘束網展開装置において、前記容器は、前記噴出部から開口部に亘って凹部を設けるとともに該開口部側に蓋係止部を設け、前記蓋は、前記開口部を覆う覆い部と、前記凹部に装着されるるとともに前記蓋係止部に係止される穴を有する舌部とを設けていることを特徴とする。
【発明の効果】
【０００９】
（１）本発明によれば、全長は大型懐中電灯または警棒などと同程度の長さで、重量は軽量のため、警備や警察官または一般の人でも十分に持ち運びが可能であり携行性にも優れている。
上記記載のように、取り扱いに優れた大きさ・質量のため、どこでも、またどちらの方向でも、またどんなタイミングでも拘束網の展開が可能で、センサ等による画一的な判断ではなく、視覚による情報やシチュエーション等による人間の柔軟な判断と自由な噴出タイミングにより、拘束の確率が非常に高くなる。
（２）さらに、網噴出部および操作部を内蔵した取手部とで構成したことにより、非常に簡易な構造となり、複雑なセンサやセンサからの信号を処理する判断回路等が必要なく、コストも安価なものになる。
（３）また、本発明による携行型拘束網展開装置は、網および錘を噴出する容器と操作部と電気的接続カプラで分離接続できるように構成されているので、網および錘を噴出した後に、容器を切り離し、新たな容器を接続することができる。
【発明を実施するための最良の形態】
【００１０】
以下、本発明の実施形態を図面に基づいて説明する。
図１〜図１３は、本発明の一実施形態に係る携行型拘束網展開器１および携行型拘束網展開装置１Ａを示す。
本実施形態に係る携行型拘束網展開器１は、第一容器１０Ａと第二容器１０Ｂとをねじ結合してなる容器１０と、周囲に８つの錘２２を紐部材２１を介して取り付けるとともに錘２２とともに容器１０内に収容される人体を拘束する拘束網２０と、錘２２をガス圧で噴出させるために容器１０内に収容されたガス発生器と、拘束網２０を収容した容器１０の蓋となる拘束網収容蓋３０とで構成されている。
【００１１】
ガス発生器は、発熱部に連通するとともに外部からの電気信号を接続するリード線１０ａを有し、リード線１０ａにはカプラ１０ｂが取り付けられている。
錘２２は、図８、図１３に示すように、拘束網２０の周囲に取り付けられた紐部材２１により取り付けられている。
紐部材２１は、例えば、ポリエステル製で径０．７ｍｍの紐を用いている。錘２２は、例えば、ステンレス製で、全長２８ｍｍ、外径１１ｍｍの円柱である。
【００１２】
拘束網２０は、図８に示すように、例えば、ポリエステル製またはケブラー製で、４ｍ×４ｍの正方形、または４ｍ×３ｍの長方形、または３ｍ×３ｍおよび４ｍ×４ｍの八角形などで構成されている。また、目幅は全展開面積の約半分を中心部付近から２０ｃｍ角で形成し、残り半分を１０ｃｍ角で形成してもよい。また、目幅については全展開面積で中心部から、内側網目と外側網目とを均等に形成することでも良い。
【００１３】
容器１０は、図１〜図４、図７、図９〜図１３に示すように、第一容器１０Ａと、第一容器１０Ａの内側に重ね合わされる第二容器１０Ｂとで構成されている。
第一容器１０Ａは、例えば、ＡＢＳ樹脂材から成る略漏斗形状を為す容器で、中央部から突出する筒部１１と、筒部１１の根本部に等間隔でもうけた８つのネジ穴１２ａ，１２ｂと、筒部１１と連なり、八方向に分岐するとともに外側に突出する半円状の８つの流路１３とを有する。ここで、ネジ穴１２ａは、第一容器１０Ａと第二容器１０Ｂとをネジ１２ｃによって結合するために設けられている。一方、ネジ穴１２ｂは、本実施形態に係る携行型拘束網展開器１と操作部４０とをネジ１２ｄによって結合するために設けられている。
【００１４】
第二容器１０Ｂは、先端に設けた円筒形状の蓋取付部１４と、内側に突出する半円状の８つの流路１５と、拘束網収容部１６とを有する。
蓋取付部１５には、外周壁の外周に等間隔で８つの凹部１７が形成され、各凹部１７には等間隔で拘束網収容蓋３０の舌部３１を固定するための二股形状の突起１８を有する。
第一容器１０Ａと第二容器１０Ｂとは、両者に形成した半円状の８つの流路１３と半円状の８つの流路１８とが対向するように重ねられた後、第一容器１０Ａ側から４個のネジ１２ｃをネジ穴１２ａに螺合することによって一体化される。容器１０を構成する第一容器１０Ａと第二容器１０Ｂとの組合せ時に、両者に形成した半円状の８つの流路１３と半円状の８つの流路１５とによって、８つのガス流路１９が形成される。８つのガス流路１９には、紐部材２１を取り付けた錘２２が挿入されて装着される。
【００１５】
拘束網収容蓋３０は、拘束網２０を第二容器１０Ｂに収容後、拘束網２０が脱落せず、かつ拘束網２０を展開させる時に容易に第二容器１０Ｂから脱落する構造とし、弾性のあるゴム材からなる。外形は略円盤状であり、蓋側面に８つの舌部３１を有する。この舌部３１には、第二容器１０Ｂの外周壁に突出した８本の突起１８に嵌め込むための小孔３２が各舌部３１に設けてあり、これにより、拘束網収容蓋３０および拘束網２０が脱落しないようにしている。また、舌部３１は拘束網２０の紐部材２１を隠し、８つのガス流路１９の錘噴出口１９ａを閉塞し、錘２２、紐部材２１および拘束網２０が露出しないための役割も担う。
【００１６】
一方、操作部４０は、起動押しボタンスイッチ４２を有するとともに先端部に位置決め用の突起４３を有する筒体４１と、この筒体４１を挿通する穴４６と位置決め用の突起４３を係止する凹部４７と等間隔で設けた４つのネジ穴４８とを有するキャップ４５とを備えている。
起動押しボタンスイッチ４２には、リード線４２ａを介してカプラ４２ｂが接続している。
【００１７】
操作部４０は、キャップ４５の穴４６に筒体４１を挿通し、両者の位置決めを行ったところで、４つのネジ穴４８を介してネジ１２ｄを携行型拘束網展開器１のネジ穴１２ｂにねじ込むことによって取り付けられる。
次に、斯くして構成された本実施形態に係る携行型拘束網展開器１を備えた携行型拘束網展開装置１Ａの作用を説明する。
【００１８】
（組立）
（１）携行型拘束網展開器１の組立について説明する。
先ず、第一容器１０Ａと第二容器１０Ｂとの間にガス発生器を装着した後、第一容器１０Ａと第二容器１０Ｂとを組み付け、ネジ穴１２ａのネジ１２ｃを螺着することによって容器１０を形成する。
【００１９】
次に、拘束網２０を第二容器１０Ｂの拘束網収容部１６に挿入する。
次に、拘束網収容蓋３０の舌部３１の小穴３２と第二容器１０Ｂの突起１８の位置が一致するように拘束網収容蓋３０を第二容器１０Ｂに被せる。
次に、８個の錘２２を第一容器１０Ａと第二容器１０Ｂとを合わせて形成された容器１０の８つの錘噴出口１９ａに挿入する。
【００２０】
次に、第二容器１０Ｂの突起１８に紐部材２１をセットし、拘束網収容蓋３０の舌部３１の小穴３２から各突起１８の頭部が貫通するまで舌部３１を押し込み、拘束網収容蓋３０を固定する。
（２）操作部４０の組立について説明する。
先ず、筒体４１をキャップ４５の穴４６に通し、筒体４１の位置決め突起４３をキャップ４５の位置決め凹部４７に係止する。
【００２１】
（３）携行型拘束網展開器１と操作部４０との組み付けについて説明する。
先ず、ガス発生器のリード線１０ａに設けたカプラ１０ｂを起動押しボタンスイッチ４２のリード線４２ａに設けたカプラ４２ｂと結線し直列接続する。
次に、キャップ４５を取り付けた筒部４１を携行型拘束網展開器１の筒部１１を介して第二容器１０Ｂの端部側に取り付けた後、キャップ４５の４つのネジ穴４８にネジ１２ｄを挿入して螺着する。
【００２２】
以上により、本実施形態に係る携行型拘束網展開装置１Ａを得ることができる。
（動作）
次に、本実施形態に係る携行型拘束網展開装置１Ａの動作について説明する。
次に、起動押しボタン４２をＯＮする。
次に、起動押しボタン４２のＯＮ信号によりリード線４２ａ、カプラ４２ｂ，１０ｂ、リード線１０ａを介してガス発生器に電気信号が送られ、ガス発生器の発熱部の着火薬を着火しガス発生剤を着火する。
【００２３】
次に、ガス発生剤の燃焼に伴うガス圧力が容器１０内に流入する。
次に、容器１０内に流入した発生ガスは、容器１０に形成されたガス通路から８つのガス流路１９に分かれて流下し、８つのガス流路１９にそれぞれ配置した錘２２を容器１０の外方に噴出する。
次に、錘２２の噴出に伴って拘束網収容蓋３０が取り外されるとともに拘束網２０が展開する。
【産業上の利用可能性】
【００２４】
本質的には防犯のため、侵入者が犯罪行為を実行し逃亡を図った際、捕獲して逃亡を遅延させること、また、犯罪行為を未然に防止するため、その犯罪行為の遅延や行為を諦めさせることに使用できる。また暴漢の鎮圧のためにも使用ができる。また、護身具としても使用が可能である。
また、市街地へ誤って飛び出した動物などの捕獲を容易にするほか、畑や田んぼ、果樹園などを荒らす駆除動物の捕獲にも効果的に使用可能である。
【図面の簡単な説明】
【００２５】
【図１】本発明の一実施形態に係る携行型拘束網展開器の正面図である。
【図２】本発明の一実施形態に係る携行型拘束網展開器の背面図である。
【図３】本発明の一実施形態に係る携行型拘束網展開器の平面図である。
【図４】本発明の一実施形態に係る携行型拘束網展開器の底面図である。
【図５】本発明の一実施形態に係る携行型拘束網展開器の右側面図である。
【図６】本発明の一実施形態に係る携行型拘束網展開器の左側面図である。
【図７】本発明の一実施形態に係る携行型拘束網展開器の作動状態（ただし、錘、拘束網を除いた状態）を示す斜視図である。
【図８】本発明の一実施形態に係る携行型拘束網展開器に用いる拘束網の展開図である。
【図９】本発明の一実施形態に係る携行型拘束網展開器と操作部との組み付けを示す使用状態を示す斜視図である。
【図１０】本発明の一実施形態に係る携行型拘束網展開器と操作部との組み付けを角度を変えて示す使用状態を示す斜視図である。
【図１１】本発明の一実施形態に係る携行型拘束網展開装置を示す斜視図である。
【図１２】本発明の一実施形態に係る携行型拘束網展開装置を角度を変えて示す斜視図である。
【図１３】本発明の一実施形態に係る携行型拘束網展開装置の作動状態を示す斜視図である。
【符号の説明】
【００２６】
１  携行型拘束網展開器
１Ａ  携行型拘束網展開装置
１０  容器
１０Ａ  第一容器
１０Ｂ  第二容器
１０ａ，４２ａ  リード線
１０ｂ，４２ｂ  カプラ
１１  筒部
１２ａ，１２ｂ，４８  ネジ穴
１２ｃ，１２ｄ  ネジ
１３，１５  流路
１４  蓋取付部
１６  拘束網収容部
１７，４７  凹部
１８  突起
１９  ガス流路
１９ａ  錘噴出口
２０  拘束網
２１  紐部材
２２  錘
３０  拘束網収容蓋
３１  舌部
３２  小孔
４０  操作部
４１  筒体
４２  起動押しボタンスイッチ
４３  位置決め用の突起
４５  キャップ
４６  穴
【図１】
2006118845.tif 000003
【図２】
2006118845.tif 000004
【図３】
2006118845.tif 000005
【図４】
2006118845.tif 000006
【図５】
2006118845.tif 000007
【図６】
2006118845.tif 000008
【図７】
2006118845.tif 000009
【図８】
2006118845.tif 000010
【図９】
2006118845.tif 000011
【図１０】
2006118845.tif 000012
【図１１】
2006118845.tif 000013
【図１２】
2006118845.tif 000014
【図１３】
2006118845.tif 000015